【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
液体を樹木に注入する際に使用される、樹木の穿孔に挿入されるプラグであって、
本体と、
前記本体中に延びる流路と、
前記流路の複数の開口部と、
前記本体の少なくとも一部の周りに延在し、かつ前記複数の開口部の少なくとも１つの開口部を塞ぐチューブであって、前記チューブが弾性的であり、かつ所定の差圧に応答して前記少なくとも１つの開口部を開閉するように構成されているチューブと、
を具備するプラグ。
【請求項２】
前記本体が反対側の第１端部及び第２端部を有し、
前記少なくとも１つの開口部が、前記本体の前記第１端部と第２端部との間に位置付けられた出口開口部であり、
前記複数の開口部が、前記本体の前記第１端部に近接して位置付けられた入口開口部を含み、
前記流路が、
長手軸に沿って、前記入口開口部から前記本体の前記第２端部に向かって延びる上流部分と、
前記長手軸と交差する横方向に、前記上流部分から前記出口開口部へ延びる下流部分と、
を有し、
前記チューブが前記長手軸の周りに延在する、
請求項１に記載のプラグ。
【請求項３】
前記本体の前記第２端部が前記流路から永久的に隔絶される請求項２に記載のプラグ。
【請求項４】
前記本体が、前記長手軸の周りに延在しかつ前記出口開口部を画定する外側表面を有し、
前記チューブの内側表面が前記外側表面及び前記出口開口部の両方と対向する面対面の関係にあるように前記チューブが前記外側表面の周りに延在する、
請求項２に記載のプラグ。
【請求項５】
注入器と組み合わせた請求項１に記載のプラグであって、
前記少なくとも１つの開口部が出口開口部であり、
前記複数の開口部が入口開口部を含み、
前記注入器が放出ノズルを有し、前記放出ノズルは前記入口開口部と嵌合し、かつ前記放出ノズルが前記入口開口部と嵌合されている間、前記液体を前記流路に放出する、プラグ。
【請求項６】
前記注入器の少なくとも１つの表面及び前記プラグの少なくとも１つの表面が、協働的に互いに係合するように相互に構成され、前記注入器の前記少なくとも１つの表面及び前記プラグの前記少なくとも１つの表面が協働的に互いに係合する間、前記プラグが前記注入器によって前記穿孔の中へ少なくとも更に先へ押し込まれるように適合される、請求項５に記載の組合せ。
【請求項７】
前記注入器の前記少なくとも１つの表面及び前記プラグの前記少なくとも１つの表面が、締まり嵌めによって互いに解放可能に結合されるように相互に構成される、請求項６に記載の組合せ。
【請求項８】
前記注入器の前記少なくとも１つの表面が、前記注入器の前記放出ノズルの少なくとも１つの表面を含む、請求項６に記載の組合せ。
【請求項９】
前記注入器の少なくとも１つの表面及び前記プラグの少なくとも１つの表面が、協働的に互いに係合するように相互に構成され、その結果、前記注入器が、前記注入器の前記少なくとも１つの表面及び前記プラグの前記少なくとも１つの表面が協働的に互いに係合する間、前記プラグを前記穿孔の中へ少なくとも更に先へ押し込むことに使用される、請求項５に記載の組合せ。
【請求項１０】
液体を樹木に注入する方法であって、
プラグが注入器の放出ノズルに位置付けられている間、前記樹木の穿孔にプラグを取り付けるステップであって、前記プラグが前記放出ノズルに位置付けられている間、前記放出ノズルを前記穿孔の内側端部に近づけるように移動させることを含むステップと、
前記液体を前記穿孔の前記内側端部に供給するステップであって、前記プラグが前記穿孔内にあり、かつ前記プラグが前記放出ノズルに位置付けられている間、前記液体を前記放出ノズルから放出することを含むステップと、
前記プラグが前記穿孔内に残っている間、前記放出ノズルを前記プラグから引き抜くステップと、
を含む方法。
【請求項１１】
前記プラグを前記穿孔に取り付ける前記ステップは、前記プラグが前記放出ノズルに位置付けられている間、前記注入器を使用して前記プラグを前記穿孔の中へ少なくとも更に先へ押し込むことを含む、請求項１０に記載の方法。
【請求項１２】
前記プラグを前記穿孔に取り付ける前記ステップは、前記プラグが前記放出ノズルに位置付けられている間、前記穿孔の外側端部に前記プラグを挿入することを含む、請求項１０に記載の方法。
【請求項１３】
前記プラグを前記穿孔に取り付ける前記ステップは、前記プラグが前記放出ノズルに位置付けられている間、前記穿孔の外側端部に前記プラグを導入することと、前記プラグが前記放出ノズルに位置付けられている間、前記注入器の一回のストロークで、前記プラグを前記穿孔の中へ少なくとも更に先へ押し込むことと、を含む、請求項１０に記載の方法。
【請求項１４】
前記放出ノズルを前記穿孔に近づけるように移動させる前記ステップが、前記注入器を全体的に、前記穿孔の長手軸に沿って移動させることを含む、請求項１０に記載の方法。
【請求項１５】
前記放出ノズルを前記プラグから引き抜く前記ステップが、前記放出ノズルを前記プラグから分離することを含み、前記放出ノズルを前記プラグから分離することが、前記放出ノズルと前記プラグとの間の締まり嵌めを克服することを含む、請求項１０に記載の方法。
【請求項１６】
前記プラグを前記放出ノズルに位置付けるステップであって、前記放出ノズルの放出端部を前記プラグに画定された流路の開口部に挿入することを含むステップを更に含む請求項１０に記載の方法であって、
前記液体を前記放出ノズルから放出する前記ステップが、前記液体を前記放出ノズルの前記放出端部から、前記プラグに画定された前記流路に放出し、その結果前記液体が、前記プラグの少なくとも前記流路を介して前記穿孔の前記内側端部に流れることを含み、
前記プラグは、前記液体が前記プラグを通って前記穿孔の前記内側端部から流出することを制限する逆止弁を有する、方法。
【請求項１７】
前記穿孔が内側部分と前記内側部分より幅広い外側部分とを有する複合的な穿孔であるように前記穿孔を前記樹木に形成するステップを更に含む、請求項１０に記載の方法。
【請求項１８】
前記複合的な穿孔を形成する前記ステップが、複合ドリルビットで前記複合的な穿孔を穿孔することを含み、
前記複合ドリルビットが、前記穿孔の前記外側部分を少なくとも部分的に形成するＦｏｒｓｔｎｅｒビット部分と、前記穿孔の前記内側部分を少なくとも部分的に形成する別のビット部分とを含み、
前記Ｆｏｒｓｔｎｅｒビット部分が前記別のビット部分よりも幅広い、
請求項１７に記載の方法。
【請求項１９】
液体を樹木に注入する方法であって、
プラグが注入器の放出部分に位置付けられている間、前記プラグと前記注入器の放出部分との両方を前記樹木の穿孔の外側端部に実質的に同時に導入するステップであって、前記プラグが前記放出ノズルに位置付けられている間、前記注入器の前記放出部分を前記穿孔の内側端部に近づけるように移動させることを含むステップと、
前記液体を前記穿孔の前記内側端部に供給するステップであって、前記プラグと前記注入器の前記放出部分とが前記穿孔内にあり、かつ前記プラグが前記注入器の前記放出部分に位置付けられている間、前記液体を前記注入器の前記放出部分から放出することを含むステップと、
前記プラグが前記穿孔に残っている間、前記注入器の前記放出部分を前記プラグ及び前記穿孔の両方から引き抜くステップと、
を含む、方法。
【請求項２０】
液体を樹木に注入する注入装置であって、
前記液体を受け入れる入口と、
前記液体を前記注入装置から放出する出口と、
前記入口及び前記出口を交互に流体連通する第１チャンバーと、
少なくとも１つの第２チャンバーであって、前記第１チャンバーが交互に、
前記入口から前記液体を受け入れ、
圧力下に前記液体を前記出口へ供給する
ように前記第１チャンバーと協働的に関連付けられる第２チャンバーと、
を具備する注入装置。
【請求項２１】
前記第２チャンバーが圧力下にガスを含み、かつ前記第１及び第２チャンバーの容量が互いに反比例して変化するように前記第１チャンバーを付勢する、請求項２０に記載の注入装置。
【請求項２２】
前記入口と流体連通する液体供給装置を更に具備する請求項２０に記載の注入装置であって、
前記第１チャンバーが第１の圧力で前記液体を前記出口に供給し、
前記液体供給装置が、前記第１の圧力より高い第２圧力で前記液体を前記入口に供給する、
注入装置。
【請求項２３】
請求項１〜１９の１つ以上と組み合わせた、請求項２０に記載の注入装置。